(57)【特許請求の範囲】
【請求項１】
搬送通路を形成するケースと、搬送通路に沿って紙葉を搬送する搬送装置と、搬送通路に沿って移動される紙葉の物理的特徴を検出して検出信号を発生する光学式のセンサ装置と、センサ装置からの検出信号を受信して搬送装置の駆動を制御する制御装置とを備え、
ケースは、光透過性で撥水性の樹脂により形成されて搬送通路の下面を形成する下部カバーと、下部カバーの底部に結合される下部トレイとを有する下部ケースを備え、
下部カバーと下部トレイとの間にセンサ装置の下部光学センサを配置することを特徴とする紙葉類取扱装置。
【請求項２】
下部カバーの上面は、平滑な紙葉の搬送面を形成する請求項１に記載の紙葉類取扱装置。
【請求項３】
嵌合部を介して下部カバーに下部トレイを結合し、センサ装置の下部光学センサを嵌合部の内側に配置した請求項１又は２に記載の紙葉類取扱装置。
【請求項４】
搬送通路内に侵入する液体を排出する排水通路を下部カバー及び下部トレイに形成した請求項１乃至３の何れか１項に記載の紙葉類取扱装置。
【請求項５】
排水通路は、下部ケースの後方に形成される排出口を備え、排水通路を通る異物は、排出口から排出される請求項４に記載の紙葉類取扱装置。
【請求項６】
ケースは、搬送通路の上面を形成する上部ケースを更に備え、
上部ケースは、光透過性で撥水性の樹脂により形成される上部トレイと、上部トレイの上部に結合される上部カバーとを備え、
センサ装置の上部光学センサは、上部トレイと上部カバーとの間に配置される請求項１乃至５の何れか１項に記載の紙葉類取扱装置。
【請求項７】
上部トレイの底面は、平滑な紙葉の搬送面を形成する請求項６に記載の紙葉類取扱装置。
【請求項８】
嵌合部を介して上部トレイに上部カバーを結合し、嵌合部の内側にセンサ装置の上部光学センサを配置した請求項６又は７に記載の紙葉類取扱装置。
【請求項９】
センサ装置は、下部カバーと下部トレイとの間に配置される発光素子と、上部トレイと上部カバーとの間に配置される受光素子とを備え、
受光素子は、発光素子から照射されて、下部カバーを通り紙葉を透過した後、上部トレイを通る光を受光する請求項６乃至８の何れか１項に記載の紙葉類取扱装置。
【請求項１０】
センサ装置は、上部トレイと上部カバーとの間に配置される上部光学センサと、上部光学センサから照射されて、上部トレイを通り紙葉を透過した後、下部カバーを通る光を受光する受光素子とを備え、
受光素子を下部カバーと下部トレイとの間に配置する請求項６乃至９の何れか１項に記載の紙葉類取扱装置。
【請求項１１】
下部ケースと上部ケースとを覆う下部ケーシングと上部ケーシングとを備え、下部ケーシングと下部ケースとの間に基板を配置した請求項６乃至１０の何れか１項に記載の紙葉類取扱装置。
【請求項１２】
下部ケースの下部カバーと下部トレイとを一体に樹脂成形し、折曲部で折り曲げて、センサ装置の一部を下部カバーと下部トレイとの間に配置する請求項１乃至１１の何れか１項に記載の紙葉類取扱装置。
【請求項１３】
上部ケースの上部トレイと上部カバーとを一体に樹脂成形し、折曲部で折り曲げて、センサ装置の上部光学センサを上部トレイと上部カバーとの間に配置する請求項６乃至１２の何れか１項に記載の紙葉類取扱装置。
【請求項１４】
搬送通路を形成するケースと、搬送通路に沿って紙葉を搬送する搬送装置と、搬送通路に沿って移動される紙葉の物理的特徴を検出して検出信号を発生する光学式のセンサ装置と、センサ装置からの検出信号を受信して搬送装置の駆動を制御する制御装置とを備え、
ケースは、下部ケースと上部ケースとを備え、
下部ケースは、光透過性で撥水性の樹脂により形成されて搬送通路の下面を形成する下部カバーと、下部カバーの底部に結合される下部トレイとを有し、
上部ケースは、光透過性で撥水性の樹脂により形成される上部トレイと、上部トレイの上部に結合される上部カバーとを有し、
センサ装置の下部光学センサを下部カバーと下部トレイとの間にセンサ装置の下部光学センサを配置すると共に、センサ装置の上部光学センサを上部トレイと上部カバーとの間に配置し、
下部ケースの下部カバーと上部ケースの上部トレイとの間に搬送通路を形成したことを特徴とする紙葉類取扱装置。
【請求項１５】
搬送通路内に突出して搬送装置のベルト又はローラを配置する開口部を下部カバーと上部トレイに形成した請求項１４に記載の紙葉類取扱装置。
【発明の詳細な説明】
【技術分野】
【０００１】
本発明は、紙葉類取扱装置、特に、外部から侵入する塵、埃、液体等に対してセンサ装置を保護できる紙葉類取扱装置に関する。
【背景技術】
【０００２】
自動販売機、両替機、現金自動支払機、自動預金機、ゲーム機等に紙葉類取扱装置として搭載される紙幣鑑別装置は、通常、搬送通路に沿って紙葉を搬送する搬送装置と、搬送通路に沿って移動される紙葉の物理的特徴を検出して検出信号を発生する光学式のセンサ装置と、センサ装置からの検出信号を受信して搬送装置の駆動を制御する制御装置とを備える。この種の紙幣鑑別装置は、例えば、下記特許文献１に開示される。
【０００３】
【特許文献１】米国特許第５６３２３６７号公報
【発明の開示】
【発明が解決しようとする課題】
【０００４】
紙葉類取扱装置の紙葉類挿入口付近に通常配置される光学センサ及び磁気センサ等のセンサ装置は、外部からの塵、埃、液体等の異物の侵入により、誤動作又は電気的特性の劣化等を生ずる危険がある。しかしながら、従来の紙幣鑑別装置は、異物の侵入を有効に阻止し又は回避することができなかった。
【０００５】
そこで、本発明は、搬送通路内に侵入する異物を有効に排出すると共に、異物によるセンサ装置の損傷を防止できる紙葉類取扱装置を提供することを目的とする。
【課題を解決するための手段】
【０００６】
本発明の紙葉類取扱装置は、搬送通路(5)を形成するケース(1)と、搬送通路(5)に沿って紙葉を搬送する搬送装置(2)と、搬送通路(5)に沿って移動される紙葉の物理的特徴を検出して検出信号を発生する光学式のセンサ装置(3)と、センサ装置(3)からの検出信号を受信して搬送装置(2)の駆動を制御する制御装置(4)とを備える。ケース(1)は、光透過性で撥水性の樹脂により形成されて搬送通路(5)の下面(5a)を形成する下部カバー(7)と、下部カバー(7)の底部(7b)に結合される下部トレイ(8)とを有する下部ケース(6)を備える。下部カバー(7)と下部トレイ(8)との間にセンサ装置(3)の下部光学センサ(3a)が配置される。
【０００７】
特に、テーブル内に埋設される紙葉類取扱装置の挿入口にテーブルの上面から紙葉類を挿入するとき又は後方に傾斜して配置される紙葉類取扱装置の挿入口に紙葉類を挿入するとき、液体が挿入口から搬送通路(5)の奥に侵入することがある。この場合に、撥水性の樹脂により下部カバー(7)を形成し、下部カバー(7)と下部トレイ(8)との間にセンサ装置(3)の下部光学センサ(3a)を配置する。従って、電気で作動される下部光学センサ(3a)は、撥水性の樹脂(7)を含む下部ケース(6)により覆われるので、搬送通路(5)内に侵入する液体により損傷を受けない。また、下部光学センサ(3a)から照射される光は、光透過性の樹脂により形成される下部カバー(7)を通じて紙葉類に照射された後、下部光学センサ(3a)又は上部光学センサ(3b)により受光するので、紙葉類の光学的特徴を円滑に検出することができる。また、挿入口(5c)から搬送通路(5)内に侵入する異物は、開口部(13)又は排水通路(15)、下部ケース(6)の内部を通り、下部ケース(6)の後方に形成される排出口(15a)から排出されるので、下部ケース(6)内に有害な異物が滞留しない。
【発明の効果】
【０００８】
本発明では、撥水性の樹脂により下部カバーを形成し、下部カバーと下部トレイとの間にセンサ装置の下部光学センサを配置することにより、搬送通路内に侵入する異物による下部光学センサの損傷を回避して、紙葉類取扱装置の誤動作及び故障を防止することができる。
【発明を実施するための最良の形態】
【０００９】
紙葉類として紙幣の鑑別を行う紙幣鑑別装置に適用した本発明による紙葉類取扱装置の実施の形態を図１乃至図５０について以下説明する。
図４４〜図４６に示すように、本発明による紙幣鑑別装置の実施の形態では、搬送ユニット(D)と、搬送ユニット(D)に着脱可能に装着される識別ユニット(H)と、搬送ユニット(D)に着脱可能に連結されて搬送ユニット(D)を支持する主フレーム(F)と、主フレーム(F)に着脱可能に装着される収納ユニット(S)とを備える。図４６に示すように、識別ユニット(H)は、搬送ユニット(D)に着脱可能に連結され、搬送ユニット(D)及び収納ユニット(S)は、主フレーム(F)に対して着脱可能に装着される。図４８は、紙幣入口(40)を有する紙幣収納機構(41)を収納ユニット(S)内に挿入する状態を示す斜視図である。
【００１０】
図２乃至図４及び図４５に示すように、識別ユニット(H)は、搬送通路(5)を形成するケース(1)と、搬送通路(5)に沿って紙幣を搬送する搬送装置(2)と、搬送通路(5)に沿って移動される紙幣の物理的特徴を検出して検出信号を発生する光学式のセンサ装置(3)と、センサ装置(3)からの検出信号を受信して搬送装置(2)の駆動を制御する制御装置を有する基板(4)とを備える。図１及び図５に示すように、ケース(1)は、下部光学センサ(3a)及び他の電気電子素子を収容する下部ケース(6)と、上部光学センサ(3b)及び他の電気電子素子を収容する上部ケース(10)とを備える。
【００１１】
センサ装置(3)は、下部ケース(6)内に収容される下部光学センサ(3a)と、上部ケース(10)内に収容される上部光学センサ(3b)及び受光素子(3c)と、必要に応じて、紙幣の挿入を検出する光学式入口センサ及び紙幣の印刷面のインクに含まれる鉄分を検出する磁気センサを含む。また、図３及び図４に示すように、下部光学センサ(3a)が下部ケース(6)内に配置され、図示しない制御装置が組み込まれた基板(4)が下部ケーシング(18)と下部ケース(6)との間に配置され、必要に応じて、下部光学センサ(3a)と上部光学センサ(3b)は、基板(4)に実装される電気電子素子に電気的に接続される。基板(4)上に実装される制御装置は、センサ装置(3)からの信号を受信して、搬送装置(2)、搬送ユニット(D)及び収納ユニット(S)に制御出力信号を送出して、搬送ベルト(2a)及び他の駆動機構を駆動する。
【００１２】
図１、図２及び図４２に示すように、下部ケース(6)は、光透過性、撥水性及び導電性を有する樹脂により形成されて搬送通路(5)の下面(5a)を形成する下部カバー(7)と、下部カバー(7)の底部(7b)に結合される下部トレイ(8)とを有し、下部光学センサ(3a)及び他の電気電子素子は、下部カバー(7)と下部トレイ(8)との間に配置される。同様に、図１、図２及び図４３に示すように、上部ケース(10)は、光透過性、撥水性及び導電性を有する樹脂により形成されかつ搬送通路(5)の上面(5b)を形成する上部トレイ(11)と、上部トレイ(11)の上部(11b)に結合される上部カバー(12)とを備え、上部光学センサ(3b)及び他の電気電子素子は、上部トレイ(11)と上部カバー(12)との間に配置される。
【００１３】
図７乃至図１４に示すように、下部カバー(7)は、平滑な紙幣の搬送面を形成する上面(7a)と、裏面(7b)とを備える。図７の裏面を示す図８から明らかなように、下部光学センサ(3a)又は上部光学センサ(3b)からの光が透過する透光部(7c)が裏面(7b)のほぼ中央に一体に形成される。図１に示すように、搬送装置(2)の搬送ベルト(2a)は、下部トレイ(8)内に取り付けられ、下部カバー(7)に形成される４つの開口部(13)内のそれぞれに部分的に配置される搬送ベルト(2a)は、開口部(13)を通じて搬送通路(5)内に突出する。
【００１４】
下部カバー(7)を光透過性樹脂で形成するため、図９乃至図１１に示すように、透光部(7c)に相当する上面(7a)に複数のリブ(13a)を形成することができる。下部光学センサ(3a)から紙幣に向う光又は紙幣から下部光学センサ(3a)に向う光が透光性のリブ(13a)を通過するので、検出光が劣化せずに、紙幣を十分に鑑別することができる。複数のリブ(13a)を形成することにより、紙幣の搬送面への接着を防止して、紙幣を円滑に搬送できると共に、下部カバー(7)の機械的強度を向上することができる。
【００１５】
図２２乃至図２６に示すように、上部トレイ(11)は、平滑な紙幣の搬送面を形成する底面(11a)と、底面(11a)の裏面となる上面(11b)とを備える。上部光学センサ(3b)と受光素子(3c)を配置する透光部(11c)は、上面(11b)のほぼ中央に形成される。上部トレイ(11)を光透過性樹脂で形成するため、図２３乃至図２６に示すように、透光部(11c)に相当する底面(11a)に複数のリブ(14a)を形成してもよい。上部光学センサ(3b)から紙幣に向う光又は紙幣から上部光学センサ(3b)に向う光が透光性のリブ(14a)を通過するので、紙幣の鑑別を十分に行うことができる。
【００１６】
複数のリブ(14a)を形成することにより、紙幣の搬送面への接着を防止して、紙幣を円滑に搬送できると共に、上部トレイ(11)の機械的強度を向上することができる。図４３に示すように、８個の押圧ローラ(61)が回転可能に上部カバー(12)に取り付けられ、各押圧ローラ(61)は、上部トレイ(11)に対応して形成される８個の開口部(14)を通じて搬送通路(5)内に突出して配置されると共に、下部ケース(6)に設けられる搬送ベルト(2a)に当接する。搬送装置(5)内に挿入される紙幣は、搬送ベルト(2a)と押圧ローラ(61)との間に配置されて、搬送通路(5)に沿って移動される。
【００１７】
下部カバー(7)の上面(7a)と上部トレイ(11)の底面(11a)は、平滑な紙幣の一対の搬送面を形成する。下部カバー(7)と上部トレイ(11)とを樹脂の射出成形により形成すると、下部カバー(7)の円滑な上面(7a)及び上部トレイ(11)の底面(11a)をそのまま搬送通路(5)の下面(5a)及び上面(5b)として利用することができる。この目的で、例えば、ＡＢＳ樹脂、ポリカーボネート樹脂、アクリル樹脂、ポリアミド樹脂、ポリアセタール樹脂又はこれらの何れかの混合樹脂により下部カバー(7)及び上部トレイ(11)を形成できるが、例えば、赤外線、紫外線、赤色、緑色、青色等の光波長に対して光学的に透明な種々の樹脂から必要な特性を有するものを選択することができる。
【００１８】
下部カバー(7)、下部トレイ(8)、上部カバー(12)及び上部トレイ(11)を同一の又は異なる樹脂材料で成形してもよい。下部カバー(7)と上部トレイ(11)の中、下部光学センサ(3a)と上部光学センサ(3b)に対向して、受光する光が透過する部分のみを部分的に透光性樹脂により形成し、それ以外の部分を非透光性樹脂又は不透明樹脂により一体モールド成形してもよい。また、樹脂材料中に導電性材料を配合して、下部カバー(7)及び上部トレイ(11)に導電性を付与すると、紙幣との摩擦により下部カバー(7)に帯電する静電気を下部カバー(7)の導電性により直ちに放電することができ、静電気に起因する下部カバー(7)への異物の付着と紙幣のジャミングを防止することができる。
【００１９】
この場合に、下部カバー(7)と上部トレイ(11)の中、下部光学センサ(3a)と上部光学センサ(3b)に対向する部分を選択的に非導電性としてもよい。他面、図４９に示すように、下部ケース(6)の下部カバー(7)と下部トレイ(8)とを一体に樹脂成形し、折曲部(20)で折り曲げて、センサ装置(3)の一部を下部カバー(7)と下部トレイ(8)との間に配置することができる。これにより、下部カバー(7)と下部トレイ(8)とを一体にかつ一度に樹脂成形して、下部ケース(6)の製造効率の向上を図ることができる。同様に、図５０に示すように、上部ケース(10)の上部トレイ(11)と上部カバー(12)とを一体に樹脂成形し、折曲部(21)で折り曲げて、センサ装置(3)の上部光学センサ(3b)を上部トレイ(11)と上部カバー(12)との間に配置することができる。これにより、上部ケース(10)の一体同時樹脂成形により製造効率の向上を図ることができる。
【００２０】
図６に示すように、下部トレイ(8)は、嵌合部(9)を介して下部カバー(7)に結合され、センサ装置(3)の少なくとも一部は、嵌合部(9)の内側に配置され、嵌合部(9)は、侵入する液体に対して防水機能を向上することができる。下部カバー(7)と下部トレイ(8)との嵌合部(9)は、図示の構造に限定されず、凹凸構造、凸凹構造、段差構造、湾曲凹凸面構造、爪係止構造等を含む種々の構造に形成することができる。センサ装置(3)の下部光学センサ(3a)は、複数の発光素子と、複数の発光素子から照射されて、下部カバー(7)を通り紙幣で反射した後、再び下部カバー(7)を通る光を受光する複数の受光素子とを備える接触イメージセンサ（ＣＩＳ）である。また、センサ装置(3)の上部光学センサ(3b)は、複数の発光素子と、複数の発光素子から照射されて上部トレイ(11)を通り、紙幣で反射した後、再び上部トレイ(11)を通る光を受光する複数の受光素子とを備える接触イメージセンサ（ＣＩＳ）である。
【００２１】
また、上部光学センサ(3b)の発光素子から照射されて、上部トレイ(11)の底面(11a)、紙幣及び下部カバー(7)の上面(7a)を通る透過光を下部光学センサ(3a)の単数又は複数の受光素子により受光して、紙幣の透過光パターンを電気信号に変換することができる。逆に、下部光学センサ(3a)の発光素子から照射されて、下部カバー(7)の上面(7a)、紙幣及び上部トレイ(11)の底面(11a)を通る透過光を上部光学センサ(3b)の単数又は複数の受光素子により受光して、紙幣の透過光パターンを電気信号に変換することができる。
【００２２】
下部カバー(7)に形成される４つの開口部(13)と上部トレイ(11)に形成される８個の開口部(14)は、搬送通路(5)内に液体等の大量の異物が外部から侵入するときに、異物を排出する排水通路(15)となる。下部カバー(7)の４つの開口部(13)を通り液体等の異物が流出する経路を図１の太線矢印(51)で示す。異物は、挿入口(5c)から搬送通路(5)、開口部(13)又は排水通路(15)、下部ケース(6)の内部を通り、下部ケース(6)の後方に形成される排出口(15a)から排出される。また、搬送通路(5)内の液体等の大量の異物は、図１の破線矢印(52)で示すように、搬送通路(5)、上部トレイ(11)の８個の開口部(14)及び排出口(15a)を通じて流出させることができる。
【００２３】
識別ユニット(H)を組み立てる際に、下部光学センサ(3a)とその他の電気電子素子を実装した基板(4)を下部フレーム(17)と下部ケーシング(18)との間に配置して、図２に示す積層状態で下部ケーシング(18)と上部ケーシング(19)との間に下部ケース(6)と上部ケース(10)とを配置して、識別ユニット(H)の組立が完成する。その後、図４６に示すように、搬送ユニット(D)のガイドレール(30)に沿って識別ユニット(H)を搬送ユニット(D)に嵌合すると、図４５に示すように、識別ユニット(H)の搬送通路(5)が、収納ユニット(S)に接続される搬送ユニット(D)の連絡通路(31)の入口(32)に自動的に接続される。また、図４６に示す収納ユニット(S)を主フレーム(F)に嵌合すると、収納ユニット(S)の紙幣入口(40)は、搬送ユニット(D)の連絡通路(31)の出口(33)に自動的に接続される。
【００２４】
要するに、本発明の実施の形態による紙葉類取扱装置は、下記の作用効果を生ずる。
<1>  撥水性の樹脂により形成される下部カバー(7)と下部トレイ(8)とを備える下部ケース(6)内に電気作動される下部光学センサ(3a)を収容すると共に、上部カバー(12)と上部トレイ(11)とを備える上部ケース(10)内に電気作動される上部光学センサ(3b)を収容するので、図１の下部光学センサ(3a)及び上部光学センサ(3b)は、搬送通路(5)内に侵入する液体により損傷を受けない。
<2>  これにより、搬送通路(5)内に侵入する異物による下部光学センサ(3a)の損傷を回避して、紙葉類取扱装置の誤動作及び故障を防止することができる。
<3>  液体等の異物が内部に侵入しても、下部ケース(6)と上部ケース(10)に形成される開口部(13,14)を通り、異物は、自重により下方に移動して、識別ユニット(H)から自動的にかつ円滑に排出することができる。
<4>  下部ケース(6)と上部ケース(10)内に電気作動装置を収容できるので、取扱、運搬及び組立が容易となると同時に、不測の電気的短絡事故を防止することができる。
<5>  下部ケース(6)の下部カバー(7)と上部ケース(10)の上部トレイ(11)を透光性の材料で形成するため、下部ケース(6)内に下部光学センサ(3a)を収容しかつ上部ケース(10)内に上部光学センサ(3b)を収容したまま、搬送通路(5)を通過する紙幣の光学的特性を十分に検出することができる。
<6>  下部ケース(6)の下部カバー(7)と上部ケース(10)の上部トレイ(11)とを樹脂成形して得られる平滑面で搬送通路(5)を形成するため、搬送通路(5)を通る紙幣にジャミング又は目詰まりが発生せず、紙幣を円滑に搬送することができる。
<7>  識別ユニット(H)が正常に動作するときに発生する熱は、異物が通過する排水通路(15)を流れる気流によって放熱するため、連続動作時に、識別ユニット(H)の過熱を防止することができる。
【００２５】
図示の実施の形態では、搬送ユニット(D)、主フレーム(F)及び収納ユニット(S)と共に作動する識別ユニット(H)を示したが、本発明では、識別ユニット(H)を単独で紙葉類識別装置として使用してもよい。本発明の前記実施の形態では、紙葉類を紙幣として説明したが、紙幣以外の銀行券、クーポン券等の有価紙葉に本発明を適用できることは明らかである。
【産業上の利用可能性】
【００２６】
本発明は、防塵及び防水構造を有する紙葉類取扱装置に適用できる。
【図面の簡単な説明】
【００２７】
【図１】本発明による紙葉類取扱装置の縦断面図
【図２】識別ユニットの構成を示す組立斜視図
【図３】図４４に示す識別ユニットのIII−III線に沿う断面図
【図４】図４４に示す識別ユニットのIV−IV線に沿う断面図
【図５】ケースの縦断面図
【図６】ケースの横断面図
【図７】下部カバーの平面斜視図
【図８】下部カバーの底面斜視図
【図９】下部カバーの平面図
【図１０】図９のX−X線に沿う断面図
【図１１】図９のXI−XI線に沿う断面図
【図１２】下部カバーの底面図
【図１３】図１２のXIII−XIII線に沿う断面図
【図１４】図１２のXIV−XIV線に沿う断面図
【図１５】下部トレイの平面図
【図１６】下部トレイの正面図
【図１７】下部トレイの背面図
【図１８】下部トレイの底面図
【図１９】下部トレイの右側面図
【図２０】下部トレイの左側面図
【図２１】図１５に示すXXI−XXI線に沿う断面図
【図２２】上部トレイの平面図
【図２３】上部トレイの底面図
【図２４】図２２のXXIV−XXIV線に沿う断面図
【図２５】図２２のXXV−XXV線に沿う断面図
【図２６】図２２のXXVI−XXVI線に沿う断面図
【図２７】上部カバーの平面図
【図２８】上部カバーの底面図
【図２９】図２７のXXIX−XXIX線に沿う断面図
【図３０】図２７のXXX−XXX線に沿う断面図
【図３１】図２７のXXXI−XXXI線に沿う断面図
【図３２】図２７のXXXII−XXXII線に沿う断面図
【図３３】図２７のXXXIII−XXXIII線に沿う断面図
【図３４】図２７のXXXIV−XXXIV線に沿う断面図
【図３５】下部フレームの平面斜視図
【図３６】下部フレームの平面図
【図３７】下部フレームの底面図
【図３８】図３６のXXXVIII−XXXVIII線に沿う断面図
【図３９】図３６のXXXIX−XXXIX線に沿う断面図
【図４０】図３７のXL−XL線に沿う断面図
【図４１】図３７のXLI−XLI線に沿う断面図
【図４２】下部ケースの構成を示す組立斜視図
【図４３】上部ケースの構成を示す組立斜視図
【図４４】本発明による紙葉類取扱装置を示す斜視図
【図４５】図４４の側断面図
【図４６】本発明の紙葉類取扱装置の構成を示す組立斜視図
【図４７】搬送ユニットの構成を示す組立斜視図
【図４８】収納ユニットの構成を示す組立斜視図
【図４９】下部ケースの他の実施の形態を示す断面図
【図５０】上部ケースの他の実施の形態を示す断面図
【符号の説明】
【００２８】
(1)・・ケース、  (2)・・搬送装置、  (3)・・センサ装置、  (3a)・・下部光学センサ、  (3b)・・上部光学センサ、  (3c)・・受光素子、  (4)・・基板、  (5)・・搬送通路、  (5a)・・下面、  (5b)・・上面、  (6)・・下部ケース、  (7)・・下部カバー、  (7a)・・上面、  (7b)・・裏面（底部）、  (8)・・下部トレイ、  (9,16)・・嵌合部、  (10)・・上部ケース、  (11)・・上部トレイ、  (11a)・・底面、  (11b)・・上面（上部）、  (12)・・上部カバー、  (13,14)・・開口部、  (15)・・排水通路、  (15a)・・排出口、  (17)・・下部フレーム、  (18)・・下部ケーシング、  (19)・・上部ケーシング、  (20,21)・・折曲部、  (H)・・識別ユニット、  (D)・・搬送ユニット、  (S)・・収納ユニット、  (F)・・主フレーム、
【図１】
0005227087.tif 000002
【図２】
0005227087.tif 000003
【図３】
0005227087.tif 000004
【図４】
0005227087.tif 000005
【図５】
0005227087.tif 000006
【図６】
0005227087.tif 000007
【図７】
0005227087.tif 000008
【図８】
0005227087.tif 000009
【図９】
0005227087.tif 000010
【図１０】
0005227087.tif 000011
【図１１】
0005227087.tif 000012
【図１２】
0005227087.tif 000013
【図１３】
0005227087.tif 000014
【図１４】
0005227087.tif 000015
【図１５】
0005227087.tif 000016
【図１６】
0005227087.tif 000017
【図１７】
0005227087.tif 000018
【図１８】
0005227087.tif 000019
【図１９】
0005227087.tif 000020
【図２０】
0005227087.tif 000021
【図２１】
0005227087.tif 000022
【図２２】
0005227087.tif 000023
【図２３】
0005227087.tif 000024
【図２４】
0005227087.tif 000025
【図２５】
0005227087.tif 000026
【図２６】
0005227087.tif 000027
【図２７】
0005227087.tif 000028
【図２８】
0005227087.tif 000029
【図２９】
0005227087.tif 000030
【図３０】
0005227087.tif 000031
【図３１】
0005227087.tif 000032
【図３２】
0005227087.tif 000033
【図３３】
0005227087.tif 000034
【図３４】
0005227087.tif 000035
【図３５】
0005227087.tif 000036
【図３６】
0005227087.tif 000037
【図３７】
0005227087.tif 000038
【図３８】
0005227087.tif 000039
【図３９】
0005227087.tif 000040
【図４０】
0005227087.tif 000041
【図４１】
0005227087.tif 000042
【図４２】
0005227087.tif 000043
【図４３】
0005227087.tif 000044
【図４４】
0005227087.tif 000045
【図４５】
0005227087.tif 000046
【図４６】
0005227087.tif 000047
【図４７】
0005227087.tif 000048
【図４８】
0005227087.tif 000049
【図４９】
0005227087.tif 000050
【図５０】
0005227087.tif 000051